(57)【要約】【課題】  本発明は腰痛になる人、なっている人が非常に多い、またそれによって悩んでいる人が非常に多い、だが腰痛を治すという事は非常に困難な事で腰痛の人は我慢しているのが現状である、そのような人達に少しでも役に立てればと思うものである。【解決手段】  １、ベースの上に座った状態で、５、腰回転軸からの、９、脇腹固定版による締め付けと、８、脇下安定板に脇下を乗せ、１５ベルトで軽く締め付る事で上体が浮くようになり、腰に負担が架からなくなり腰痛を和らげることが出来る。        また仕事中の場合、座椅子式脇下当て腰痛補助具を装着しながら仕事が出来るもので、また何処かへ出掛け会議とか映画鑑賞など長時間座っている場合など持参し持って行きセットして座っていれば腰は痛くならない。  また仕事上で前後左右動く場合、５、腰回転軸と、３回転アームと、４回転ビームとの連携で前後左右に動く事も出来る。【選択図】  図４
2006102435.tif 000002
【特許請求の範囲】
【請求項１】
腰掛用、１ベースに対し、２ベースセンター版の、３回転アーム、１６回転ビームパイプと、３回転アームが接続され、４回転ビームは、３回転アームン中に組み込まれており、１６回転ビームパイプは前後左右に回転できるようになっている、、１２アーム接続部で、１６回転ビームパイプ、５腰回転軸は接続されており、５回転軸は、１６回転ビームパイプの中に組み込まれており、１２回転接続部で、５腰回転軸は伸びちじみするようになっており、人の座高、８脇下安定板が合った時、１１レベルネジで締め付け固定する。
１ベースに人が座った状態に於いて、６背な当てと、７補助背な当ては連結されて折り、９脇腹固定板と、７補助背な当は、１０チョウツガイによって連結されており、９脇腹固定板は左右動くようになって胸を押さえるようになる。
人が座った状態い於いて、９脇腹固定板を胸に左右から締め付けるようにし、８脇下安定板を脇の下に宛がい、１５ベルトによってセットする、８脇下安定板は、９脇下固定板の上に乗っているような状態で接続されており、９脇腹固定板は胸を押さえつけるため、１４脇腹クッションスポンジをつけ摩擦をやわらげる、８脇下安定板は脇の下を保護するため、１３脇腹スポンジを付け摩擦を防ぐ、そして、９脇腹固定板を胸に宛がい、８脇下安定板が脇の下に位置した時、１５ベルトによって軽く締め付けセットされる状態となるその機能装備。
【発明の詳細な説明】
【技術分野】
【０００１】
【背景技術】
【０００２】  本発明は腰痛患者の補助具であるが、特許平成１１年−２５９８１９の出願の顎支持具及び座具というものが出願とされておりますが、この発明は肩こりや腰痛などの病状を軽減を図る事とありますが、顎、又は首からの支えで腰痛を和らげる事は出来ません、人の身体は腰から上は三分の二の体重が有り、首で体重を支えても十数分分位は持ちこたえても、何時間も首で体重を支える事は出来ないのであります。
本発明の座椅子式腰痛防止器は脇のしたから支えるものであり、顎からの支えで腰を支えるのではないので根本的に異なります。
昔も今も、腰痛患者は非常に多いのが現状で、腰痛を治す方法はいろいろあるが、腰痛はなかなか治らないと言われます、医者からの指示でコルセットをする場合もあるがコルセットをしたから治るというわけではない、また薬をもらって飲む場合もあるが一時的に良くる場合もあるが治るわけではない。またリハビリーなどで牽引をしても腰痛は治らないのが現状である。
【発明の開示】
【発明が解決しようとする課題】
【０００３】
【０００４】  人間は直立歩行の動物で上体体重が腰の部分一点に掛かるためどうしても腰が痛くなるという人が多い、また仕事などで重い物を持ってギックリ腰になるという人もいる、腰が痛くなるとなかなか治らないのが現状で、病院へ行って薬をもらって飲んだり、牽引をしたり、時によって重症の場合は手術をする場合もあるが１００パーセント治るとは限らない、また軽い場合は手術はやってくれない、ほどんとの人が我慢しているのが現状である。
そのような人の為に考え、少しでも役にたてばと考えたのが本発明の座椅子式脇下当て腰痛補助具である。
方法としていろいろ考えてきたのだけれど、タクシーの運転をしている時コルセットをして運転をしていたのだけれど、腰は痛くなる一方でどうしたら腰が痛くならないか考えた結果、脇の下から支える事が一番いいのではないかと考えたのである。
【課題を解決するための手段】
【０００５】  腰痛にもいろいろな症状があるが、重いものを持ってギックリ腰になる人、タクシーなど車を長年運転をしていると腰痛になる人、事務など長く椅子などに座っていて腰痛になる人といろいろであるが、一度腰痛になると治りにくいといいます。
腰痛になって治す方法というのはあまりないのが現状で、医者からのアドバイスで薬をもらって飲むとか、コルセットをする、牽引をしてもらうとか、いろいろやっても腰痛は治らないのが現状で、コルセットを装着すると窮屈であるし腹の部分に摩擦跡がついたり、夏などは汗を掻いて蒸れる場合もあり、また痛かったりとあまり都合の言いもものではない、病院へ行って何ヶ月も牽引してもらっても治るとは限らない、ほどんとの人が我慢にているのが現状である、そのような事を考え何とか腰痛を少しでも痛くならない方法がないかと常ずね考えてきていろいろな方法を試してきた。
運動をやる事、歩く事、そして考えた方法として、身体の上体を支える事だという結論に到達し、最初にコルセット式に、座椅子に座った状態で背な当て部分より脇腹を締め付上体を受け支えるようにすれば良いのではないかと考え、背な当て部分よりチョウツガイで連結し、両脇から胸の部分でバンドにより締め付けてみたのだが、締め付け部分をより強く締め付けないと、緩んだり、落ち込んだりして非常に窮屈であり思ったほどの効果は得られず、もっと他に良い方法はないものかと、考えたのが兼ねてから、タクシーの運転手であった時に考えていた、座った状態で背な当て部よりチョウツガイで連結し脇の下を支えれば腰は痛くならない、と考えていたので、座椅子式にしてセナ当て部分よりチョウツガイによって脇腹を軽く締め付け、締め付け部分より脇の下を支えるという方法を考え付いたのである。
【発明の効果】
【０００６】  自分で座椅子式脇下当て腰痛補助具を製作し使ってみると意外な効果があることがわかった、車の運転には向かないのではないかなーと思っていたのだけれど、使ってみるといがいに疲れないし運転にさほど支障もないということが解りました、車の振動でも身体が痛くならないし疲れないし、一番良いことは脇の下で上体を支えられているので腰が痛くならないことです。    今迄は机に向かって少しの時間書きもの図面引き、本などを読んでも腰が痛くなってしょうがなく、すぐ横になって休まないといけなかったものが、長時間座っていても腰が痛くならなくなったのです。
自分で試作で作ったものでこれだけの効果があるので企業が丁寧に作ればもっと効果があがり良い物が出来ると思われる。
【発明を実施するための最良の形態】
【０００７】  本発明は腰痛の人を補助するためのもので、車の運転をしている時、机に向かって仕事をしている場合、と人間の生活には座っている事が非常に多いのであるがあるが、この場合において座った状態に於いての腰痛防止目的に適したものである、車を運転する場合、事務など長時間の仕事の場合、座椅子式腰痛防器を椅子の上に置きその上の座り、９脇腹固定板を両脇から宛がいバンドで締め付けると、８脇下安定板が脇の下に来るようになり、上体を支えるよな形になり、腰に負担が掛からなくなり腰が痛くならない、また車の運転、事務仕事に支障も来たさないし、腰が痛くならない事で仕事の能率も上がる。
また軽量に製作する事で映画鑑賞、話し合いの会合、など長時間座っている場合持参して行き畳の上、椅子の上に置き、１ベースに座り、９脇腹固定板を両脇から宛がい、８脇下安定板をわきの下に宛がい、１５ベルトで締めセットし長時間座っていても腰は痛くならない、普段の生活で人が座る時間は長い人が多いと思うのであるが、また家にいればテレビを見る時間も多い、テレビを見るときはほどんと座って見るが、腰痛の人は腰に負担が掛かり腰が痛くなる、そんな場合でも座椅子式脇下当て腰痛補助具に座り、８脇下安定板を脇の下に宛がいバンドで締めて座ってテレビを見ていることで腰が痛くならない。
本製品は小型軽量で製作すれば、何処かへ行った時に持参して行き長時間座っている場合にセットして座っていると腰は痛くならない便利性がある。
【実施例】
【０００８】  本発明の座椅子式脇下当て腰痛補助具は座って使用するもので、１ベースに座った状態で、６背な当部に背中を宛がい、１０チョウツガイの作動で、９脇下固定板を胸にあてがい、８脇下安定板を脇の下に当たるようにし、１５ベルトで胸の位置で締め付けることでセットされる、脇の下を、８脇下安定板で支えることで、８脇下安定板に上体が乗っかるような状態となる事で腰に負担が掛からなくなる事で腰は痛くならない。
１ベースに座った時に人によって座高はそれぞれ違うので、８脇下安定板が脇の下に合わない場合は合わせるようにする為、１２アーム接続部分で上下二分され、５腰回転軸の、１２内部は一回り小さいパイプとなっており、４回転ビームの中に組み込まれており、伸び、ちじみするようになっており、５腰回転軸が上下する事で人の座高に合わせ、１１レベルネジを締め付けセットするとその人の座高に合った、８脇下安定板が脇の下にくる事で丁度良い位置となる。
仕事をする場合人はいろいろな動作をしなければならない、前後左右と動く場合、３回転アームの中に、ベアリング状の、４回転ビームが組み込まれ前後左右動く事が出来る。
８脇下安定板は脇の下に乗せるようにするため、柔らかい、１３脇腹スポンジを貼り付け脇の下を保護するようにする、９脇腹固定版の、１４脇腹クッションスポンジは脇腹に宛がったとき脇腹がこすれたり、傷ついたりしない為のスポンジクッションを装着してあり、  〔図４〕に於いて人が椅子に座って、座椅子式脇下当て腰痛補助具を装着し、パソコンなどの事務仕事、をしている見取り図である。
【産業上の利用可能性】
【０００９】  日本人は仕事熱心で長時間仕事をしたり、重い物を扱う仕事の人、昔みたいに幼児期に運動をしない、外で遊ばないという人が多いためか、身体がきゃしゃな人が多い為か、腰痛の人は非常に多くいるが、腰痛を治す方法はいろいろあるが、治るという決定的な方法は無いというのが現状である、腰痛で我慢している人は非常に多いのが現状で、病院へ行っていろいろな方法で治そうとしてもなかなか治らない、医者の支持でコルセットをしても一時的に痛みが止まっていても腰痛が治ることはない、また長時間していると、皮膚ずれを起こしたり、腰はどうしても痛くなる。  運動をして治そうと思ってもどうやったら治るのか決定的な方法はない、手術をすれば良いとは思うが軽い場合は医者は手術はしてはくれないし医療代も高い、本発明の座椅子式脇下当て腰痛補助具をする事で腰痛を抑える事、腰痛を起こさない事で、仕事上で苦痛に思っている人達が腰痛を感じないで仕事に励める事となり気分爽快で仕事の能率も上がり良い仕事が出来るようになる。車の運転手、机に向かっての仕事、家庭でのテレビを見たり、座っている時と長時間使用しても腰が痛くならずいろいろな場合に利用できる。
また外国でも同じように腰痛の人は沢山いると思うのであるが、そうゆう人達にも利用してもらえれば良いと思うものである。
【図面の簡単な説明】
【００１０】
【図１】  正面図  座椅子式脇下当て腰痛補助具を真正面から見た図
【図２】  平面図  座椅子式脇下当て腰痛補助具を真上から見た図
【図３】  側面図  座椅子式脇下当て腰痛補助具を真横から見た図
【図４】  見取り図  座椅子式脇下当て腰痛補助具に人が座ってパソコンを打っている状態の見取り図
【図５】  （９）  部分の拡大図  ６背な宛てにチョウツガイによって、９脇腹固定板を取り付けた拡大図
【符号の説明】
【００１１】１    ベース
２    ベースセンター板
３    回転アーム
４    回転ビーム
５    腰回転軸
６    背な当て
７    補助背な当て
８    脇下安定板
９    脇腹固定板
１０  チョウツガイ
１１  レベルネジ
１２  アーム接続
１３  脇腹スポンジ
１４  脇腹クッションスポンジ
１５  ベルト
１６  回転ビームパイプ
【図１】
2006102435.tif 000003
【図２】
2006102435.tif 000004
【図３】
2006102435.tif 000005
【図４】
2006102435.tif 000006
【図５】
2006102435.tif 000007